(57)【要約】【課題】  ダイナミックマイクロホンユニットにおいて、簡易な構成で指向周波数応答に悪影響を与えることなく、破裂音に起因するポップ雑音の発生を防止する。【解決手段】  ボイスコイル１１３を有する振動板１１と、ボイスコイル１１３が振動可能に配置される磁気ギャップを有する磁気回路１２と、前部音響端子３１を有し振動板１１の前方に被せられる音響端子端子板３０とを含み、音響端子端子板３０に破裂音低減手段が設けられているダイナミックマイクロホンユニットにおいて、破裂音低減手段として破裂音に伴って発生する急激な気流によって変位する通気性を有するフィルタ４０を用い、フィルタ４０を音響端子端子板３０の周縁に形成されている支持脚３２により前部音響端子３１の前方の所定位置に支持するとともに、支持脚３２にフィルタ４０の変位により上昇する圧力をユニット外に逃す開口部３３を設ける。【選択図】  図１
2006237941.tif 000002
【特許請求の範囲】
【請求項１】
ボイスコイルを有する振動板と、上記ボイスコイルが振動可能に配置される磁気ギャップを有する磁気回路と、前部音響端子を有し上記振動板の前方に被せられる音響端子端子板とを含み、上記音響端子端子板に破裂音低減手段が設けられているダイナミックマイクロホンユニットにおいて、
上記破裂音低減手段として、破裂音に伴って発生する急激な気流によって変位する通気性を有するフィルタが用いられ、上記フィルタが、上記音響端子端子板の周縁に形成されている支持脚により上記前部音響端子の前方の所定位置に支持されているとともに、上記支持脚には、上記フィルタの変位により上昇する圧力をユニット外に逃す開口部が設けられていることを特徴とするダイナミックマイクロホンユニット。
【請求項２】
上記フィルタが、線径５０μｍ，２００メッシュ〜線径１００μｍ，５０メッシュ相当の網目状フィルタであることを特徴とする請求項１に記載のダイナミックマイクロホンユニット。
【請求項３】
上記前部音響端子が、上記フィルタの最大変位量を示す中心から離れた位置に配置されていることを特徴とする請求項１または２に記載のダイナミックマイクロホンユニット。
【発明の詳細な説明】
【技術分野】
【０００１】
本発明はダイナミックマイクロホンユニットに関し、さらに詳しく言えば、話者から発せられる破裂音に起因するポップ雑音を低減する破裂音低減手段を有するダイナミックマイクロホンユニットに関するものである。
【背景技術】
【０００２】
ｐ，ｔ，ｋまたはｂ，ｄなどの一度閉じた唇を瞬間的に開くことにより発音される破裂音には急激な気流の変化が伴うため、マイクロホンのごく近くで話者から破裂音が発せられると、前部音響端子に急激な気流が流れ込みポップ雑音が発生する。
【０００３】
この破裂音によるポップ雑音を低減するため、例えば特許文献１に記載の発明では、前部音響端子に連続気泡を有する発泡体からなる音響抵抗材（例えばスポンジ）を設けるようにしている。
【０００４】
【特許文献１】特開２００２−６４８９３号公報
【発明の開示】
【発明が解決しようとする課題】
【０００５】
しかしながら、ポップ雑音を効果的に低減するには、気流が前部音響端子に加わりにくくなるように密度の高いスポンジを使用する必要がある。そうすると、音響抵抗値が高くなり、結果的に指向周波数応答が悪くなるという問題が生ずる。
【０００６】
したがって、本発明の課題は、ダイナミックマイクロホンユニットにおいて、簡易な構成で指向周波数応答に悪影響を与えることなく、破裂音に起因するポップ雑音の発生を防止することにある。
【課題を解決するための手段】
【０００７】
上記課題を解決するため、本発明は、ボイスコイルを有する振動板と、上記ボイスコイルが振動可能に配置される磁気ギャップを有する磁気回路と、前部音響端子を有し上記振動板の前方に被せられる音響端子端子板とを含み、上記音響端子端子板に破裂音低減手段が設けられているダイナミックマイクロホンユニットにおいて、上記破裂音低減手段として、破裂音に伴って発生する急激な気流によって変位する通気性を有するフィルタが用いられ、上記フィルタが、上記音響端子端子板の周縁に形成されている支持脚により上記前部音響端子の前方の所定位置に支持されているとともに、上記支持脚には、上記フィルタの変位により上昇する圧力をユニット外に逃す開口部が設けられていることを特徴としている。
【０００８】
本発明の好ましい態様によれば、上記フィルタには線径５０μｍ，２００メッシュ〜線径１００μｍ，５０メッシュ（好ましくは、線径８０μｍ，１１０メッシュ）相当の網目状フィルタが用いられる。また、上記前部音響端子は上記フィルタの最大変位量を示す中心から離れた位置に配置される。
【発明の効果】
【０００９】
本発明によれば、破裂音に伴って発生する急激な気流によって変位する通気性を有するフィルタを前部音響端子の前方に配置するとともに、フィルタの周辺を支持する音響端子板の支持脚にフィルタの変位により上昇する圧力をユニット外に逃す開口部を設けたことにより、破裂音に伴って発生する急激な気流が前部音響端子に直接加わらないため、ポップ雑音を低減することができる。また、通常の音波はフィルタを変位させることなく素通りするため、指向周波数応答が劣化することもない。
【発明を実施するための最良の形態】
【００１０】
次に、図１および図２により、本発明の実施形態について説明するが、本発明はこれに限定されるものではない。図１は本発明によるダイナミックマイクロホンユニットの一例を図解した断面図，図２は上記ダイナミックマイクロホンユニットを音源側から見た正面図である。
【００１１】
図１に示すように、このダイナミックマイクロホンユニットは、振動板１１と磁気回路１２とを含むユニット本体１０と、ユニット本体１０を支持するユニットホルダ２０と、ユニット本体１０の前面に被される音響端子板（レゾネータとも言う）３０とを備えている。
【００１２】
振動板１１は、センタードーム１１１と、その周りに一体に連設されたサブドーム１１２とを有し、センタードーム１１１にはボイスコイル１１３が接着材などにより一体的に取り付けられている。
【００１３】
また、磁気回路１２は、円盤状に形成された永久磁石１２１と、永久磁石１２１の一方の極側に配置されたセンターポールピース１２２と、永久磁石１２１の他方の極に配置された皿状のテールヨーク１２３と、テールヨーク１２３の端部に配置され、センターポールピース１２２との間で磁気ギャップを形成するサイドヨーク１２４とを備えている。
【００１４】
マイクロホンユニット１０は、ユニットホルダ２０により磁気回路１２側から支持されており、振動板１１は、ボイスコイル１１３が上記磁気ギャップ内で振動するようにサブドーム１１２の周縁部がユニットホルダ２０に固定される。
【００１５】
本発明によるダイナミックマイクロホンユニットは無指向性，単一指向性のいずれでもよいが、この例でのダイナミックマイクロホンユニットは単一指向性であるため、ユニットホルダ２０は、所定の音響抵抗材２１１を介して振動板１１の後方（背面側）に連通する後部音響端子２１を備えている。また、ユニットホルダ２０の外周部には、ボイスコイル１１３の図示しない引出リード線が接続される端子板２２が設けられる。
【００１６】
ユニットホルダ２０は円筒状に形成されていて、その内部にテールヨーク１２３に穿設されている音孔１２３ａを介して振動板１１の後方空間と連通する所定容積の背部気室（空気室）２０Ａを備えている。この例において、背部気室２０Ａは、ユニットホルダ２０内に同軸として気密的に嵌合される第１円筒部２３と第２円筒部２４とにより形成される。
【００１７】
第１円筒部２３と第２円筒部２４は、それぞれ一方の面側にフェルトなどの音響抵抗材２３２，２４２が貼り付けられた音孔２３１，２４１を有し、それらの他方の開口端部を突き合わせた状態でユニットホルダ２０内に嵌合されることにより、その内部に所定容積の背部気室２０Ａを形成する。主として、背部気室２０Ａの音響質量および音響抵抗材２１１，２３２，２４２の各音響抵抗値によって指向性，感度および指向周波数応答などの各特性が決められる。
【００１８】
図２を併せて参照して、音響端子板３０はユニット本体１０の前面を覆うようにしてユニットホルダ２０の端部に支持され、音響端子板３０には振動板１１に対する多数の前部音響端子３１が穿設されている。本発明において、音響端子端子板３０は破裂音低減手段を備えている。
【００１９】
すなわち、前部音響端子３１の前方（音源側）に、前部音響端子３１と所定の間隔をもって通気性を有するフィルタ４０が配置される。このフィルタ４０は、破裂音に伴って発生する急激な気流によって変位する網目状フィルタで、線径５０μｍ，２００メッシュ〜線径１００μｍ，５０メッシュ（特には、線径８０μｍ，１１０メッシュ）相当であることが好ましい。線種は繊維，金属のいずれであってもよい。なお、メッシュ（＃）とは１インチ（２５．４ｍｍ）あたりの本数である。
【００２０】
フィルタ４０は、前部音響端子３１の周縁に形成されている支持脚３２にて弛みが生じないように支持されるが、この場合、支持脚３２はその複数個が前部音響端子３１の周縁に沿って配置され、支持脚３２，３２間は開口部３３となっている。
【００２１】
また、前部音響端子３１は破裂音による急激な気流を避けるように、フィルタ４０の最大変位量を示す中心からずれた位置に配置されることが好ましい。この例において、前部音響端子３１は１０個であり、その各々を音響端子板３０の周辺側に同心状かつ均等に配置している。前部音響端子３１にも通気性を有するフィルタ３１１が設けられてよいが、このフィルタ３１１については、破裂音による急激な気流によって変位しないように前部音響端子３１に張設する。
【００２２】
このダイナミックマイクロホンユニットのきわめて近い位置で、話者から破裂音が発せられると、その急激な気流によってフィルタ４０が図１の鎖線で示すように変位する。フィルタ４０は、その周縁が支持脚３２にて支持されているため、中央部分が大きく撓む。
【００２３】
このように、フィルタ４０が変位する（撓む）ことにより、上記気流はフィルタ４０の機械的変位に変換され、この機械的変位によって前部音響端子３１の部分の圧力が上昇するが、その圧力（気流）の一部が上記開口部３３からユニット外に逃されるため、相対的に前部音響端子３１に入り込む気流を小さくなり、これによりポップ雑音を低減することができる。
【００２４】
以上説明したように、本発明によれば、簡易な構成で破裂音に起因するポップ雑音を低減することができる。また、フィルタ４０の密度を高くする必要がないため、マイクロホンの指向周波数応答を劣化させることもない。
【図面の簡単な説明】
【００２５】
【図１】本発明によるダイナミックマイクロホンユニットの一例を示した断面図。
【図２】上記ダイナミックマイクロホンユニットを音源側から見た正面図。
【符号の説明】
【００２６】
１０  ユニット本体
１１  振動板
１２  磁気回路
２０  ユニットホルダー
３０  音響端子板
３１  前部音響端子
３２  支持脚
３３  開口部
４０  フィルタ
【図１】
2006237941.tif 000003
【図２】
2006237941.tif 000004